(57)【要約】【課題】補強板を用いることなくフラット配線材とコネクタとを接続することにより、フラット配線材の導体ピッチ精度を維持しつつ、フラット配線材とコネクタとを接続することができるフラット配線材の端末構造、及びフラット配線材用コネクタを提供する。【解決手段】フラット配線材が、フラット配線材の両面に露出する露出導体と、この露出導体よりも端末側に位置する先端被覆部と、この先端被覆部よりも反対側に位置する絶縁被覆本体部とを有しており、フラット配線材用接続部材が、ハウジング内の端子と嵌合する嵌合凸部を有する横桟部を備えており、前記フラット配線材は、前記先端被覆部が前記横桟部の上面と当接し、前記露出導体が前記嵌合凸部の表面に沿って曲げられ、前記絶縁被覆本体部が前記横桟部の下面と当接するように前記フラット配線材用接続部材に取り付けられている端末構造とする。【選択図】図４
2007294225.tif 000002
【特許請求の範囲】
【請求項１】
複数本の導体が特定方向に配列された状態で一体的に絶縁被覆されたフラット配線材の端末部分に、前記導体を複数の端子にそれぞれ電気的に接続させるフラット配線材用接続部材が取り付けられたフラット配線材の端末構造であって、
前記フラット配線材は、その端末部分の先端位置における絶縁被覆部を残した状態で、前記絶縁被覆部の一部が除去されることにより、フラット配線材の両面に露出する露出導体と、この露出導体よりも端末側に位置する先端被覆部と、前記露出導体よりも端末側と反対側に位置する絶縁被覆本体部とを有しており、
前記フラット配線材用接続部材は、前記フラット配線材の導体配列方向に延び前記端子と嵌合する嵌合凸部を有する横桟部を備えており、
前記フラット配線材は、前記先端被覆部が前記横桟部の上面と当接し、前記露出導体が前記嵌合凸部の表面に沿って曲げられ、前記絶縁被覆本体部が前記横桟部の下面と当接するように前記フラット配線材用接続部材に取り付けられていることを特徴とするフラット配線材の端末構造。
【請求項２】
前記フラット配線材が複数枚設けられ、これらのフラット配線材が導体配列方向に並んだ状態で、共通の前記フラット配線材用接続部材に取り付けられていることを特徴とする請求項１に記載のフラット配線材の端末構造。
【請求項３】
前記フラット配線材用接続部材は、前記横桟部の下面に対して所定間隔隔てて並設された底壁部を有しており、この底壁部には、その一部が前記横桟部側に撓み変形可能な圧接片が設けられ、前記圧接片が前記横桟部側に撓み変形することにより、前記フラット配線材がこの圧接片と前記横桟部の下面とで狭圧された状態で、前記圧接片が前記底壁部によって係止されるように構成されていることを特徴とする請求項１又は２に記載のフラット配線材の端末構造。
【請求項４】
前記嵌合凸部は、導体配列方向から見て、端子側に膨らむ円弧形状を有していることを特徴とする請求項１〜３のいずれかに記載のフラット配線材の端末構造。
【請求項５】
前記露出導体が当接する嵌合凸部の厚み寸法は、絶縁被覆部が当接する横桟部の厚み寸法よりも大きく設定されていることを特徴とする請求項１〜４のいずれかに記載のフラット配線材の端末構造。
【請求項６】
前記嵌合凸部の表面には、前記フラット配線材の各露出導体を位置決めする隔壁が突出して形成されていることを特徴とする請求項１〜５のいずれかに記載のフラット配線材の端末構造。
【請求項７】
前記フラット配線材の端末部分に取り付けられた前記請求項１〜６のいずれかに記載のフラット配線材用接続部材と、このフラット配線材用接続部材と嵌合するハウジングと、このハウジングに保持される複数の端子とを備えるフラット配線材用コネクタであって、
前記端子は、前記フラット配線材用接続部材の嵌合凸部をその厚さ方向から挟持する嵌合挟持部を有しており、
前記嵌合挟持部に、前記フラット配線材の露出導体を沿わせた前記フラット配線材接続部材の嵌合凸部が挟持されることにより、前記露出導体が前記嵌合凸部と嵌合挟持部とによって狭圧されて、前記端子とフラット配線材の露出導体とが電気的に接続されることを特徴とするフラット配線材用コネクタ。
【請求項８】
前記ハウジングは、前記フラット配線材用接続部材と嵌合する接続部材嵌合部を有しており、この接続部材嵌合部内には、前記端子の嵌合挟持部がフラット配線材接続部材側に向く姿勢で前記複数の端子が保持されており、
前記接続部材嵌合部と前記フラット配線材用接続部材とが嵌合することにより、前記露出導体を沿わせた嵌合凸部が前記端子の嵌合挟持部に挟持されることを特徴とする請求項７に記載のフラット配線材用コネクタ。
【請求項９】
前記端子は、相手側回路と電気的に接続可能な接続端部を備えており、この接続端部に相手側回路が接続されることにより、フラット配線材の露出導体と相手側回路とが電気的に接続されることを特徴とする請求項７又は８に記載のフラット配線材用コネクタ。
【発明の詳細な説明】
【技術分野】
【０００１】
本発明は、フラットケーブル等のフラット配線材を端子に接続させる端末構造、及びフラット配線材用のコネクタに関するものである。
【背景技術】
【０００２】
従来から、各種電子ユニットを構成する場合に、複数本の導体が特定方向に配列された状態で一体的に絶縁被覆されたフラット配線材で各回路同士を電気的に接続することは一般に行われている。この場合、フラット配線材に取り付けられたコネクタと、他の線材あるいは回路基板等の相手側回路に取り付けられたコネクタとを嵌合させることにより、フラット配線材の導体と相手側回路とが電気的に接続される。
【０００３】
一般的に、前記フラット配線材と、このフラット配線材に取り付けられるコネクタとの接続は、フラット配線材の端末部分にこの端末部分の撓み変形を抑える補強板（下記特許文献１参照）を取り付けて行われる。ここで、図８（ａ）に絶縁被覆部分の一部を除去した後のフラット配線材１００の端末部分を概略的に示す平面図であり、図８（ｂ）はその側面図である。すなわち、図８（ａ）、（ｂ）に示すように、フラット配線材１００の絶縁被覆部分１０１における端末部分を除去することにより導体１０２を一部露出させ、この導体１０２が一部露出した端末部分に、端末部分の撓み変形を抑えるために補強板１０３を貼着させる。具体的には、補強板１０３の表面１０４には粘着剤が塗布されており、この粘着剤が塗布された補強板１０３の表面１０４とフラット配線材１００の端末部分とが重なり合うように押圧した状態を保ちながら加熱することにより、これらを貼着させる。そして、端末部分に補強板１０３を貼着させたフラット配線材１００をコネクタ内に収容された端子と連結させた状態で固定することにより、フラット配線材１００とコネクタとが接続される。
【特許文献１】特開２００１−３２６００７号公報
【発明の開示】
【発明が解決しようとする課題】
【０００４】
近年では、例えば車載用の電気ユニットに適用されるフラット配線材１００は、機能の多様化、省スペース化等の要請から、フラット配線材１００の導体１０２が狭ピッチで形成されている。
【０００５】
ところが、上述のようにフラット配線材１００の端末部分に補強板１０３を貼り付ける貼着工程により、フラット配線材１００の導体１０２が押圧等の影響を受け、設計通りの狭ピッチを保つのが困難となる虞がある。すなわち、貼付工程において、補強板１０３の粘着剤が塗布された表面１０４とフラット配線材１００の端末部分（露出導体）とを重ね合わせて押圧すると、補強板表面１０４の粘着剤が露出導体の間を通じて移動するため、この粘着剤の動きにより各露出導体１０３が導体配列方向に力を受ける。しかし、フラット配線材１００の導体１０２が絶縁被覆された部分では、この絶縁被覆部分１０１により各導体１０２の動きが固定されていることから、自由端となる露出導体１０２の先端部分が図８（ｃ）に示すように導体配列方向に変位することとなり、その結果、導体１０２のピッチの精度が悪化する。このように、補強板１０３の取付けが導体１０２のピッチの精度に大きな影響を与えるため、この補強板１０３の取付けは、フラット配線材１００の導体狭ピッチ化の妨げとなる。
【０００６】
本発明は、上記の問題点に鑑みてなされたものであり、補強板を用いることなくフラット配線材とコネクタとを接続することにより、フラット配線材の導体のピッチ精度を維持しつつ、フラット配線材とコネクタとを接続することができるフラット配線材の端末構造、及びフラット配線材用コネクタを提供することを目的としている。
【課題を解決するための手段】
【０００７】
上記課題を解決するために、本発明にかかるフラット配線材の端末構造は、複数本の導体が特定方向に配列された状態で一体的に絶縁被覆されたフラット配線材の端末部分に、前記導体を複数の端子にそれぞれ電気的に接続させるフラット配線材用接続部材が取り付けられたフラット配線材の端末構造であって、前記フラット配線材は、その端末部分の先端位置における絶縁被覆部を残した状態で、前記絶縁被覆部の一部が除去されることにより、フラット配線材の両面に露出する露出導体と、この露出導体よりも端末側に位置する先端被覆部と、前記露出導体よりも端末側と反対側に位置する絶縁被覆本体部とを有しており、前記フラット配線材用接続部材は、前記フラット配線材の導体配列方向に延び前記端子と嵌合する嵌合凸部を有する横桟部を備えており、前記フラット配線材は、前記先端被覆部が前記横桟部の上面と当接し、前記露出導体が前記嵌合凸部の表面に沿って曲げられ、前記絶縁被覆本体部が前記横桟部の下面と当接するように前記フラット配線材用接続部材に取り付けられていることを特徴としている。
【０００８】
このフラット配線材の端末構造によれば、フラット配線材の前記先端被覆部を残した状態で絶縁被覆部の一部が除去されたフラット配線材が前記フラット配線材用接続部材の横桟部に取り付けられる。具体的には、フラット配線材の先端被覆部が前記横桟部の上面と当接し、前記露出導体が前記嵌合凸部の表面に沿って曲げられ、前記絶縁被覆本体部が前記横桟部の下面と当接するようにフラット配線材がフラット配線材用接続部材に取り付けられる。すなわち、フラット配線材の端末部分に残る先端被覆部によりフラット配線材の露出導体が導体配列方向に変位するのが抑えられるため、この状態で、フラット配線材の端末部分を前記横桟部に沿う状態で取り付けられることにより、補強板を用いた従来の端末構造に比べて、フラット配線材の導体のピッチ精度を維持した状態でフラット配線材をフラット配線材用接続部材に取り付けることができる。したがって、露出導体を沿わせた前記フラット配線材接続部材の嵌合凸部をその厚さ方向から挟持する端子の挟持部分に差し込むだけで、端子とフラット配線材の露出導体とを電気的に接続することができる。
【０００９】
また、前記フラット配線材が複数枚設けられ、これらのフラット配線材が導体配列方向に並んだ状態で、共通の前記フラット配線材用接続部材に取り付けられている構成としてもよい。
【００１０】
この構成によれば、複数枚のフラット配線材を一度に端子に接続することができる。
【００１１】
また、前記フラット配線材用接続部材は、前記横桟部の下面に対して所定間隔隔てて並設された底壁部を有しており、この底壁部には、その一部が前記横桟部側に撓み変形可能な圧接片が設けられ、前記圧接片が前記横桟部側に撓み変形することにより、前記フラット配線材がこの圧接片と前記横桟部の下面とで狭圧された状態で、前記圧接片が前記底壁部によって係止されるように構成してもよい。
【００１２】
この構成によれば、フラット配線材が前記圧接片と前記横桟部の下面とで狭圧されることにより、フラット配線材の横桟部に沿う方向への移動を規制することができる。したがって、フラット配線材がフラット配線材接続用部材に取り付けられた状態を簡単な構成で維持することができる。
【００１３】
また、前記嵌合凸部は、導体配列方向から見て、端子側に膨らむ円弧形状を有していることが好ましい。
【００１４】
この構成によれば、フラット配線材の露出導体を屈曲させることなく前記嵌合凸部に沿わせることができるとともに、前記嵌合凸部を端子にスムーズに嵌合させることができる。
【００１５】
また、前記露出導体が当接する嵌合凸部の厚み寸法は、絶縁被覆部が当接する横桟部の厚み寸法よりも大きく設定されていることが好ましい。
【００１６】
この構成によれば、フラット配線材の導体が屈曲することなく、フラット配線材を前記横桟部に沿わせることができる。
【００１７】
また、前記嵌合凸部の表面には、前記フラット配線材の各露出導体を位置決めする隔壁が突出して形成されている構成とすることもできる。
【００１８】
この構成によれば、フラット配線材の露出導体を前記嵌合凸部に沿わせた状態であっても、各露出導体のピッチの精度が乱れるのを抑えることができる。
【００１９】
また、上記課題を解決するために、本発明にかかるフラット配線材用コネクタは、前記フラット配線材の端末部分に取り付けられた前記請求項１〜６のいずれかに記載のフラット配線材用接続部材と、このフラット配線材用接続部材と嵌合するハウジングと、このハウジングに保持される複数の端子とを備えるフラット配線材用コネクタであって、前記端子は、前記フラット配線材用接続部材の嵌合凸部をその厚さ方向から挟持する嵌合挟持部を有しており、前記嵌合挟持部に、前記フラット配線材の露出導体を沿わせた前記フラット配線材接続部材の嵌合凸部が挟持されることにより、前記露出導体が前記嵌合凸部と嵌合挟持部とによって狭圧されて、前記端子とフラット配線材の露出導体とが電気的に接続されることを特徴としている。
【００２０】
このフラット配線材用コネクタによれば、ハウジング内に保持された複数の端子の嵌合挟持部に前記フラット配線材の露出導体を沿わせた前記フラット配線材接続部材の嵌合凸部を挟持させることにより、フラット配線材と端子とを電気的に接続することができる。すなわち、露出導体を沿わせた前記フラット配線材接続部材の嵌合凸部をその厚さ方向から前記嵌合挟持部によって挟持させることにより、フラット配線材の露出導体が前記嵌合凸部と嵌合挟持部とによって狭圧され、前記端子とフラット配線材の露出導体とが電気的に接続される。したがって、補強板を用いることなくフラット配線材と端子とを接続することができるため、フラット配線材の導体ピッチ精度を維持したコネクタとすることができる。
【００２１】
また、前記ハウジングは、前記フラット配線材用接続部材と嵌合する接続部材嵌合部を有しており、この接続部材嵌合部内には、前記端子の嵌合挟持部がフラット配線材接続部材側に向く姿勢で前記複数の端子が保持されており、前記接続部材嵌合部と前記フラット配線材用接続部材とが嵌合することにより、前記露出導体を沿わせた嵌合凸部が前記端子の嵌合挟持部に挟持される構成としてもよい。
【００２２】
この構成によれば、ハウジングの接続部材嵌合部と前記フラット配線材接続部材とを嵌合させることにより、容易に端子とフラット配線材とを電気的に接続することができる。
【００２３】
また、前記端子は、相手側回路と電気的に接続可能な接続端部を備えており、この接続端部に相手側回路が接続されることにより、フラット配線材の露出導体と相手側回路とが電気的に接続される構成とすることもできる。
【００２４】
この構成によれば、フラット配線材を容易にディスクリート線、フラット配線材又は基板等の相手方回路に電気的に接続させることができる。
【発明の効果】
【００２５】
本発明のフラット配線材の端末構造、及びフラット配線材用コネクタによれば、補強板を用いることなくフラット配線材とコネクタとを接続することにより、フラット配線材の導体のピッチ精度を保持しつつ、フラット配線材とコネクタとを接続することができる。
【発明を実施するための最良の形態】
【００２６】
本発明の実施の形態について図面を用いて説明する。
【００２７】
図１は、本発明に係るフラット配線材用コネクタ１を前方から見た斜視図、図２は、その正面図、図３は、図１のフラット配線材用コネクタ１を後方から見た斜視図、図４は図３の分解斜視図である。なお、説明の便宜上、本発明に係るコネクタ１において、相手コネクタが接続される側を前側、フラット配線材４が接続される側を後側とする。
【００２８】
図１〜４において、フラット配線材用コネクタ１（以下単にコネクタ１と称す）は、相手回路のコネクタ（不図示）と連結して、フラット配線材と相手回路と電気的に接続するためのものであり、複数の端子２と、これらの端子２を保持するハウジング３と、フラット配線材４を前記端子２に電気的に接続させるフラット配線材用接続部材５とを備えている。
【００２９】
ここで、フラット配線材４とは、図７（ａ）に示すように、複数本の導体４１が特定方向に所定ピッチで配列された状態で一体的に絶縁被覆された線材であり、複数本の導体４１と、これらの導体４１を一体的に被覆する絶縁被覆部４２とを有している。そして、本実施形態では、フラット配線材４は、フラット配線材４における端末部分において、その先端位置における絶縁被覆部４２を残した状態で絶縁被覆部４２の一部が除去されており、フラット配線材４の両面に導体４１が露出されている。すなわち、フラット配線材４は、前記露出導体４１よりも端末側に位置する先端被覆部４２ａと、この先端被覆部４２ａと反対側に位置する絶縁被覆本体部４２ｂとを有している。
【００３０】
なお、本実施形態では、フラット配線材用接続部材５に、このフラット配線材４が１枚接続される例について説明する。
【００３１】
図１〜図４において、前記ハウジング３は、幅方向（図２において左右方向）に延びる形状を有しており、その前側に相手コネクタと嵌合するコネクタ嵌合部３１と、後側にフラット配線材用接続部材５と嵌合する接続部材嵌合部３２とを有している。そして、このハウジング３内には、幅方向に配列する複数の端子収納室３３が形成されている。この端子収納室３３は、前後方向に開口して形成されており、コネクタ嵌合部３１及び接続部材嵌合部３２に連通して形成されている。具体的には、図２に示すように、前側から見て上下方向に延びる形状を有する断面略Ｉ字状のＩ形端子収納室３３ａと、上下方向に延びるとともにその一方端部が幅方向に延びる形状を有する断面略Ｌ字状のＬ形端子収納室３３ｂとがハウジング３の幅方向に交互に配列されている。
【００３２】
そして、前記Ｉ形、Ｌ形端子収納室３３ａ、３３ｂには、それぞれ異なる種類の端子２、すなわち、Ｌ形端子収納室３３ｂに収納されるＬ形端子２１（図４参照）及びＩ形端子収納室３３ａに収納されるＩ形端子２２（図４参照）が収納されている。ここで、図５は、図２に示すコネクタ１のＶ−Ｖ線における断面図である。図４、図５に示すように、これらの端子２は共に、前後方向に延びる形状を有しており、一方端に相手コネクタの端子（不図示）に接続される接続端部２３を有し、他方端には、後述のフラット配線材用接続部材５の嵌合凸部５５と嵌合する嵌合挟持部２４を有している。この嵌合挟持部２４は、上下に撓み変位可能な接続用撓み片２４ａとその上側の支持片２４ｂとからなるコ字型の形状を有しており、この接続用撓み片２４ａと支持片２４ｂとの間にフラット配線材用接続部材５の嵌合凸部５５が挿入されると、接続用撓み片２４ａと支持片２４ｂとが嵌合凸部５５を狭圧して保持するようになっている。
【００３３】
また、Ｌ形端子収納室３３ｂに収納されるＬ形端子２１は、Ｉ形端子収納室３３ａに収納されるＩ形端子２２と比べて上下方向に延びて形成されているとともに、接続端部２３と嵌合挟持部２４とが幅方向に所定寸法変位させて形成されている。したがって、Ｌ形端子２１及びＩ形端子２２がそれぞれＬ形端子収納室３３ｂ、Ｉ形端子収納室３３ａに収納された状態では、図２に示すように、それぞれの接続端部２３が、コネクタ嵌合部３１内で前方に突出する姿勢で上下方向に２段、幅方向に亘って配列されており、また、それぞれの嵌合挟持部２４が、接続部材嵌合部３２内で同一高さで幅方向に亘って配列されるようになっている（図５参照）。
【００３４】
前記コネクタ嵌合部３１は、相手コネクタと嵌合する形状を有しており、相手コネクタが嵌合することにより、コネクタ嵌合部３１内における各端子２の接続端部２３と相手コネクタ内の端子とが電気的に接続されるようになっている。
【００３５】
前記接続部材嵌合部３２は、後述のフラット配線材用接続部材５と嵌合する部分であり、後方に延びて形成されている。具体的には、図４に示すように、接続部材嵌合部３２は、後方に延びる側面壁３２ａと、この側面壁３２ａと直交する下面壁３２ｂ及び上面壁３２ｃとを有しており、側面壁３２ａには、外側に突出する係止部３５が形成されている。
【００３６】
この係止部３５は、フラット配線材用接続部材５の脱落を防止するためのものであり、接続部材嵌合部３２とフラット配線材用接続部材５とが嵌合した際に、この係止部３５がフラット配線材用接続部材５と係合することにより、フラット配線材用接続部材５が接続部材嵌合部３２に係止されるようになっている。
【００３７】
また、前記接続部材嵌合部３２には、後述のフラット配線材用接続部材５の嵌合凸部５５を差し込むための差込部３４が形成されており、端子配列方向に延びる形状で後方側に開口形成されている。
【００３８】
この差込部３４は、上述の各端子収納室３３に連通して形成されており、この差込部３４内には、各端子２の嵌合挟持部２４が同一高さで幅方向に亘って配列されている。また、前記上面壁３２ｃ及び下面壁３２ｂの差込部３４側の表面には、前後方向に延びる形状のガイド溝３４ａが複数形成されている。このガイド溝３４ａは、後述のフラット配線材用接続部材５の嵌合凸部５５の表面に形成された隔壁５５ａと嵌合するように形成されており、前記嵌合凸部５５が差込部３４に差し込まれる際に、隔壁５５ａがガイド溝３４ａに嵌合することにより、この嵌合凸部５５を位置決めしながら差込みできるようになっている。
【００３９】
図６は、前記フラット配線材用接続部材５の斜視図である。図４〜図６において、前記フラット配線材用接続部材５は、フラット配線材４をハウジング３内の端子２に電気的に接続させる部材である。このフラット配線材用接続部材５は、幅方向に延びる略平板形状の横桟部５１と、この横桟部５１の下面に対して所定間隔おいて並設される底壁部５２と、横桟部５１及び底壁部５２の両端部分を連結する側壁部５３とを有しており、その前側にはハウジング３の接続部材嵌合部３２と嵌合するハウジング嵌合部５４（図５参照）を有している。
【００４０】
前記ハウジング嵌合部５４は、前記底壁部５２及び側壁部５３が前方（図５において左側）に延長する部分により接続部材嵌合部３２を外嵌するように形成されており、このハウジング嵌合部５４内には、後述の横桟部５１の嵌合凸部５５が前方に突出している。
【００４１】
前記横桟部５１は、フラット配線材４を沿わせて取り付ける部分であり、その前側部分に端子２の嵌合挟持部２４と嵌合する嵌合凸部５５と、この嵌合凸部５５よりも後方に位置する横桟本体部５６とを有している。
【００４２】
前記横桟本体部５６は、幅方向に延びる平板形状を有しており、その両端部分で側壁部５３と連結されている。
【００４３】
前記嵌合凸部５５は、横桟本体部５６から幅方向に亘って前方に延長して形成されており、長手方向から見て前側に膨らむ円弧形状を有している。また、嵌合凸部５５の表面には、その表面から突出して形成されるとともに、嵌合凸部５５の表面に沿って上面側から下面側に延びる形状の隔壁５５ａ（図６参照）が幅方向に所定間隔おいて形成されている。具体的には、互いに隣接する隔壁５５ａ間は、露出導体４１の幅寸法とほぼ同じ寸法を有するように形成されており、各隔壁５５ａは、露出導体４１のピッチと同じピッチを有するように形成されている。したがって、この嵌合凸部５５に露出導体４１を沿わせた状態では、各露出導体４１間から隔壁５５ａが突出し、各露出導体４１のピッチが所定ピッチに保たれるようになっている。すなわち、露出導体４１は、各導体４１間のピッチ精度を維持した状態でこの嵌合凸部５５に沿うように曲げられて固定されるようになっている。
【００４４】
また、嵌合凸部５５の厚み寸法（図５において上下方向の寸法）は、横桟本体部５６の厚み寸法よりも大きく設定されている。具体的には、図５に示す例では、嵌合凸部５５の上面と横桟本体部５６の上面との段差、及び嵌合凸部５５の下面と横桟本体部５６の下面との段差が、フラット配線材４の片面側における絶縁被覆部４２の厚み寸法とほぼ同じ寸法になるように設定されている。
【００４５】
このような横桟部５１にフラット配線材４を取り付けた状態では、前記先端被覆部４２ａが前記横桟本体部５６の上面と当接し、前記露出導体４１が前記嵌合凸部５５の表面に沿って曲げられ、前記絶縁被覆本体部４２ｂが前記横桟本体部５６の下面と当接する。すなわち、先端被覆部４２ａ及び絶縁被覆本体部４２ｂの厚みが上記段差に吸収されることにより、フラット配線材４の導体４１が屈曲することなく、フラット配線材４を横桟部５１に滑らかに沿わせることができるようになっている。また、嵌合凸部５５が前側に膨らむ円弧形状を有しているため、露出導体４１が屈曲することなくこの嵌合凸部５５表面に沿って曲げられるようになっている。
【００４６】
また、フラット配線材用接続部材５の底壁部５２は、横桟部５１の下面と対向するように幅方向に延びる形状を有している。この底壁部５２は、図５に示すように、前方に位置する前方底壁部５２ａと後方に位置する後方底壁部５２ｂとを有しており、前方底壁部５２ａと後方底壁部５２ｂとの間にはスリット５７が形成されている。そして、前方底壁部５２ａには、フラット配線材４を係止する圧接片５８が形成されている。この圧接片５８は、横桟部５１の下面側に向かって撓み変形可能に形成されている。具体的には、圧接片５８は、前方底壁部５２ａと連結される連結部５８ａを有しており、この連結部５８ａよりも後方位置に形成される第１頂角部５８ｂと、この第１頂角部５８ｂよりも下方位置に形成される第２頂角部５８ｃとを有している。すなわち、幅方向から見て断面略三角形状に形成されている。そして、フラット配線材４を横桟部５１に沿わせた状態で、この圧接片５８を下側から押圧することにより、圧接片５８は連結部５８ａを中心に回動し、図５において破線で示す姿勢となって第１頂角部５８ｂがフラット配線材４に当接すると共に、第２頂角部５８ｃが後方底壁部５２ｂに引っ掛かるようになっている。これにより、圧接片５８は、第１頂角部５８ｂがフラット配線材４に当接する姿勢で固定されるため、フラット配線材４の絶縁被覆本体部４２ｂが横桟本体部５６と第１頂角部５８ｂとに挟圧されることにより、フラット配線材４がフラット配線材用接続部材５に保持されるようになっている。
【００４７】
また、フラット配線材用接続部材５の側壁部５３には、幅方向に貫通する切欠部５３ａが形成されている。この切欠部５３ａは、ハウジング３の接続部材嵌合部３２における係止部３５が嵌合する形状を有している。したがって、ハウジング３の接続部材嵌合部３２にフラット配線材用接続部材５が取り付けられると、この切欠部５３ａと係止部３５とが嵌合することにより、このフラット配線材用接続部材５の前後方向における移動を規制できるようになっている。
【００４８】
次に、フラット配線材用コネクタ１の組立てについて説明する。まず、フラット配線材用接続部材５にフラット配線材４を取付ける。ここで、図７は、その取付けの手順を示す図である。
【００４９】
まず、図７（ａ）に示すように、フラット配線材４の端末部分における絶縁被覆部４２（先端被覆部４２ａ）を残した状態でフラット配線材４の絶縁被覆部４２の一部を除去して導体４１を両面に露出させる。このフラット配線材４をフラット配線材用接続部材５の横桟部５１に沿わせた状態で固定する。具体的には、図７（ｂ）に示すように、横桟部５１と底壁部５２とによって形成される隙間からフラット配線材４の先端被覆部４２ａを挿入し、露出導体４１における絶縁被覆本体部４２ｂ側に位置する部分が嵌合凸部５５の下面と対面する位置までフラット配線材４を挿入する。すなわち、この状態では、フラット配線材４の絶縁被覆本体部４２ｂと横桟本体部５６の下面とが対面する状態となっている。そして、図７（ｃ）、（ｄ）に示すように、先端被覆部４２ａを上方に曲げて（図７（ｃ））、さらにこの先端被覆部４２ａを横桟部５１の上面に当接させる（図７（ｄ））。すなわち、各露出導体４１が嵌合凸部５５の隔壁５５ａ間に位置する状態で、各露出導体４１を嵌合凸部５５の表面に沿うように曲げ変形させる。すなわち、図５に示すように、先端被覆部４２ａが横桟本体部５６の上面と当接し、露出導体４１が嵌合凸部５５の表面に沿って曲げられ、絶縁被覆本体部４２ｂが横桟本体部５６の下面と当接する状態でフラット配線材４がフラット配線材用接続部材５に取り付けられる。そして、圧接片５８を下側から押圧して圧接片５８を図５における破線で示す姿勢に回動させて、フラット配線材４の絶縁被覆本体部４２ｂに当接させることにより、絶縁被覆本体部４２ｂが横桟本体部５６と圧接片５８とに挟圧されてフラット配線材４が横桟部５１に固定される。
【００５０】
次に、フラット配線材４の端末部分に取り付けられたフラット配線材用接続部材５をハウジング３に組み付ける。すなわち、フラット配線材４を取り付けたフラット配線材用接続部材５のハウジング嵌合部５４と、ハウジング３の接続部材嵌合部３２とを嵌合させて組み付ける。具体的には、接続部材嵌合部３２とハウジング嵌合部５４とを対向させた状態でフラット配線材用接続部材５をハウジング３側に移動させると、接続部材嵌合部３２の係止部３５がハウジング嵌合部５４の側壁部５３の前側部分を外側に押し広げつつ、接続部材嵌合部３２の差込部３４に嵌合凸部５５が挿入されるようになっている。そして、嵌合凸部５５が差込部３４内に配列される端子２の嵌合挟持部２４に差込まれる。具体的には、この嵌合凸部５５が差込部３４に挿入される際には、差込部３４のガイド溝３４ａに嵌合凸部５５の隔壁５５ａが嵌り込み、嵌合凸部５５表面に沿う各露出導体４１が各端子２の嵌合挟持部２４の位置まで誘導される。そして、さらに嵌合凸部５５を嵌合挟持部２４側に移動させることにより、嵌合挟持部２４の接続用撓み片２４ａが撓み変形し、その復元力により嵌合凸部５５が嵌合挟持部２４に挟持される。すなわち、嵌合凸部５５の表面にフラット配線材４の露出導体４１が沿った状態で、支持片２４ｂと接続用撓み片２４ａとによって嵌合凸部５５がその厚み方向から挟持されることにより、露出導体４１が嵌合凸部５５と嵌合挟持部２４とによって上下方向から挟圧される。これにより、フラット配線材４の露出導体４１と端子２とが電気的に接続されるようになっている。そして、接続部材嵌合部３２の係止部３５がハウジング嵌合部５４の切欠部５３ａと嵌合することにより、接続部材嵌合部３２とハウジング嵌合部５４とが係止され、フラット配線材用接続部材５がハウジング３に対して差込み方向と反対方向への移動が規制される。これにより、フラット配線材用コネクタ１の組立てが完了する。
【００５１】
このように、フラット配線材４の端末部分にフラット配線材用接続部材５を取付けた上記実施形態におけるフラット配線材４の端末構造によれば、フラット配線材４の端末部分を前記横桟部５１に沿う状態で取り付けられているため、フラット配線材４の端末部分の撓み変形が抑えられるとともに、フラット配線材４の端末部分に残る先端被覆部４２ａにより、フラット配線材４の露出導体４１の導体４１配列方向への変位が抑えられる。よって、補強板を用いた従来の端末構造に比べて、フラット配線材４の導体４１のピッチ精度を維持した状態でフラット配線材４をフラット配線材用接続部材５に取り付けることができる。
【００５２】
また、上記実施形態におけるフラット配線材用コネクタ１によれば、ハウジング３内に保持された複数の端子２の嵌合挟持部２４に前記フラット配線材４の露出導体４１を沿わせた前記フラット配線材用接続部材５の嵌合凸部５５を挟持させることにより、フラット配線材４と端子２とを電気的に接続することができる。すなわち、露出導体４１を沿わせた前記フラット配線材用接続部材５の嵌合凸部５５をその厚さ方向から前記嵌合挟持部２４によって挟持させることにより、フラット配線材４の露出導体４１が前記嵌合凸部５５と嵌合挟持部２４とによって狭圧され、前記端子２とフラット配線材４の露出導体４１とが電気的に接続される。したがって、補強板を用いることなくフラット配線材４と端子２とを接続することができるため、フラット配線材４の導体４１ピッチ精度を維持したコネクタ１とすることができる。
【００５３】
また、上記実施形態では、一枚のフラット配線材４をフラット配線材用接続部材５に取り付けた例について説明したが、複数枚のフラット配線材４を共通のフラット配線材用接続部材５に取り付けたフラット配線材４の端末構造であってもよい。具体的には、共通のフラット配線材用接続部材５の横桟部５１に、フラット配線材４が幅方向（導体４１配列方向）に配列させて取り付けたものであってもよい。これにより、複数枚のフラット配線材４を一度にハウジング３に取り付けることができる。また、フラット配線材用接続部材５に複数枚のフラット配線材４を取り付けたフラット配線材用コネクタ１とすることにより、このフラット配線材用コネクタ１と相手側回路とを接続することにより、複数枚のフラット配線材４を一度に相手側回路と電気的に接続することができる。
【００５４】
また、上記実施形態では、フラット配線材用コネクタ１において、ハウジング３が相手コネクタと嵌合するコネクタ嵌合部３１を有しており、ハウジング３に保持される端子２の接続端部２３がコネクタ嵌合部３１内に配列されている例について説明したが、フラット配線材用コネクタ１のハウジング３が基板に取り付けられている実装型のコネクタであってもよい。すなわち、基板に取り付けられたハウジング３内には、一方端部で基板の回路と電気的に接続されているとともに、他方端部には嵌合挟持部２４を有する複数の端子２が備えられており、このハウジング３の接続部材嵌合部３２と、フラット配線材４を取り付けたフラット配線材用接続部材５のハウジング嵌合部５４とを嵌合させることにより、複数の端子２の嵌合挟持部２４に前記フラット配線材４の露出導体４１を沿わせた前記フラット配線材用接続部材５の嵌合凸部５５を挟持させることにより、フラット配線材４と基板の回路とを電気的に接続させるものであってもよい。
【図面の簡単な説明】
【００５５】
【図１】本発明に係るフラット配線材用コネクタを前方から見た斜視図である。
【図２】図１における正面図である。
【図３】本発明に係るフラット配線材用コネクタを後方から見た斜視図である。
【図４】図３の分解斜視図である。
【図５】図２に示すＶ−Ｖ線における断面図である。
【図６】フラット配線材用接続部材の斜視図である。
【図７】フラット配線材用接続部材にフラット配線材を取付ける取付け手順を示す図である。
【図８】従来のフラット配線材の端末構造を示す概略図である。
【符号の説明】
【００５６】
１  フラット配線材用コネクタ
２  端子
３  ハウジング
４  フラット配線材
５  フラット配線材用接続部材
２３  接続端部
２４  嵌合挟持部
３１  コネクタ嵌合部
３２  接続部材嵌合部
３４  差込部
４１  導体
４２ａ  先端被覆部
４２ｂ  絶縁被覆本体部
５１  横桟部
５５  嵌合凸部
５８  圧接片
【図１】
2007294225.tif 000003
【図２】
2007294225.tif 000004
【図３】
2007294225.tif 000005
【図４】
2007294225.tif 000006
【図５】
2007294225.tif 000007
【図６】
2007294225.tif 000008
【図７】
2007294225.tif 000009
【図８】
2007294225.tif 000010